(57)【要約】【課題】装置本体に補助装置をセットした際、補助装置のピンが装置本体の筺体に嵌合して抜けなくなることを防ぐ。【解決手段】装置本体をなす筐体に開口５を設け、補助装置の装置本体と向かい合う面には１つ又は複数のピン６を設ける。ピン６は尖頭状の部位のすぐ下側の直筒状部分の上部側部位に溝７を形成する。装置本体に補助装置をセットした際、開口５とピン６を嵌合する位置に設けることで、セット後は開口５の突片部５ａが変形してピン６の溝７に喰いつく形態となり、装置本体１と補助装置２は離れなくなる。【選択図】図３
2011180314.tif 000002
【特許請求の範囲】
【請求項１】
補助装置の上、横、又は下に設置され筺体とカバーを具備する装置本体と、
該補助装置の前記装置本体と向かい合う面に設けられたピン部材と、
前記装置本体の前記補助装置と向かい合う面に開けられたピン部材が入る開口と、
を具備した機器類において、
前記補助装置と前記装置本体をセットした後、前記補助装置の前記ピン部材に前記装置本体の前記筺体が抜けなくなるように嵌合させてなることを特徴とする機器類。
【請求項２】
請求項１に記載の機器類において、
前記補助装置のピン部材に嵌合して抜けなくなる部材が、前記筺体から外せる部材であることを特徴とする機器類。
【請求項３】
請求項２に記載の機器類において、
前記補助装置の前記ピン部材に嵌合して抜けなくなる前記部材を、前記装置本体の前記筺体に対してスライド移動可能備えることを特徴とする機器類。
【請求項４】
請求項３に記載の機器類において、
前記部材の近傍の前記装置本体のカバーや前記筺体に、レバーや穴が設けられていることを特徴とする機器類。
【請求項５】
請求項３に記載の機器類において、
前記装置本体が電源により駆動する装置であって、
前記補助装置の前記ピン部材に嵌合して抜けなくなる前記部材に駆動手段を連結し、
該駆動手段の動作のためのスイッチや操作部を設けたことを特徴とする機器類。
【請求項６】
請求項１から５のいずれかに記載の機器類であって、
前記装置本体が画像形成装置の装置本体、前記補助装置が該画像形成装置の装置本体にセットされる周辺機器であることを特徴とする機器類。
【請求項７】
請求項１から５のいずれかに記載の機器類であって、
前記装置本体に補助装置をセットして構成する家具等であることを特徴とする機器類。
【請求項８】
請求項１から５のいずれかに記載の機器類であって、
前記装置本体に補助装置をセットして構成する装置であることを特徴とする機器類。
【発明の詳細な説明】
【技術分野】
【０００１】
本発明は、装置本体に補助装置をセットして、機能アップや利便性を向上させる装置や家具等、さらには複写機、ファクシミリ、プリンタ、これらの複合機等の画像形成装置（本願ではこれらを機器類と称する）に関する。
【背景技術】
【０００２】
装置本体の機能をアップさせたり利便性を向上するために、補助装置とセットで連結して設置する場合がある。例えば、棚の上や横に棚を増設したり、１段ベッドを２段ベッドにする、テレビの下にテレビ台をセットするなどの例がある。これらの補助装置の連結を実施しなかったり確実に実施しなかった場合、人が装置にぶつかったり地震や装置の移動の際に装置本体と補助装置が分離し、転落したり破損したりする恐れがある。
【０００３】
また画像形成装置などでは、装置本体と補助装置が電源で機能を発揮し、装置本体と補助装置がハーネスや信号線で連結されている場合、それらを外さずに装置本体と補助装置を分離してしまうとハーネスや信号線が切れたり装置内部の部品が破損してしまうという不具合がある。
【０００４】
特許文献１には、画像形成装置と後処理装置の固定手段について、固定と解除のいずれもが手動で行われ、画像形成装置と後処理系装置を水平に連結する発明が開示されている。また特許文献２には、プリンタ本体の下にオプションを重ねた時、オプションの取手を隠すことで両方を同時に持ち上げられないようにして、プリンタ本体の落下を防止するようにした発明が開示されている。
【０００５】
また特許文献３には、画像読み取り装置を画像形成装置本体にスライドさせて結合し、画像形成装置組立時の精度と組付け強度向上をはかった発明が開示されている。特許文献４には、装置本体の運搬用の把手の出没によって、装置を設置するテーブルとの固定と解除を行うものが開示されている。さらに、特許文献５には、給紙、搬送、保持ユニットに対して作像部を着脱可能としたものが開示されている。
【発明の概要】
【発明が解決しようとする課題】
【０００６】
本発明は、装置本体に補助装置をセットすると自動的に連結し離れなくすることと、その分離に係る新規な機器類、画像形成装置を提供することを目的とする。
【課題を解決するための手段】
【０００７】
本発明の機器類は、補助装置の上、横、又は下に設置され筺体とカバーを具備する装置本体と、該補助装置の前記装置本体と向かい合う面に設けられたピン部材と、前記装置本体の前記補助装置と向かい合う面に開けられたピン部材が入る開口と、を具備した機器類において、前記補助装置と前記装置本体をセットした後、前記補助装置の前記ピン部材に前記装置本体の前記筺体が抜けなくなるように嵌合させてなることを特徴とする。
【０００８】
本発明の機器類は、前記補助装置のピン部材に嵌合して抜けなくなる部材が、前記筺体から外せる部材であることを特徴とする。
【０００９】
本発明の機器類は、前記補助装置の前記ピン部材に嵌合して抜けなくなる前記部材を、前記装置本体の前記筺体に対してスライド移動可能備えることを特徴とする。
【００１０】
本発明の機器類は、前記部材の近傍の前記装置本体のカバーや前記筺体に、レバーや穴が設けられていることを特徴とする。
【００１１】
本発明の機器類は、前記装置本体が電源により駆動する装置であって、前記補助装置の前記ピン部材に嵌合して抜けなくなる前記部材に駆動手段を連結し、該駆動手段の動作のためのスイッチや操作部を設けたことを特徴とする。
【００１２】
本発明の機器類は、前記装置本体が画像形成装置の装置本体、前記補助装置が該画像形成装置の装置本体にセットされる周辺機器であることを特徴とする。
【００１３】
本発明の機器類は、前記装置本体に補助装置をセットして構成する家具等であることを特徴とする。
【００１４】
本発明の機器類は、前記装置本体に補助装置をセットして構成する装置であることを特徴とする。
【発明の効果】
【００１５】
本発明によれば、装置本体に補助装置をセットした際、補助装置のピンが装置本体の筺体に嵌合して抜けなくなることにより、人が装置にぶつかったり地震や装置の移動の際に装置本体と補助装置が分離し、転落したり破損したりする恐れを回避できる。
【図面の簡単な説明】
【００１６】
【図１】本発明の実施例１を示す分解斜視図
【図２】図１の装置の装置本体の構成を示す断面図
【図３】図１の装置の補助装置に設けるピンの構造を示す図
【図４】本発明の実施例２を示す図
【図５】本発明の実施例３を示す図
【図６】本発明の実施例４を示す図
【図７】本発明の実施例５を示す図
【発明を実施するための形態】
【００１７】
本発明は、装置本体に補助装置をセットした際、補助装置のピンが装置本体の筺体に嵌合して抜けなくなる。このことにより、前述の不具合を回避するものである。
【００１８】
ただし、前記本発明の実施形態では、装置の移動やさらなる補助装置の増設の際に装置本体と補助装置を分離する必要がある。そのため本発明の他の実施形態では、装置本体の筺体に具備された別の部材に補助装置のピンが嵌合する。このことにより、装置本体と補助装置を分離しようとする際、装置本体の筺体に具備された部材を外すことで分離が可能となる。
【００１９】
しかしこの実施形態では、装置本体と補助装置をセットする際に部材の嵌合部分が変形し、再使用できなくなる可能性がある。そこで本発明は、装置本体の筺体に設けられた別の部材がスライド移動することによって補助装置のピンに嵌合して抜けなくなる構成とするものである。嵌合する部分の部材に変形がないため装置本体と補助装置を分離した後でも確実に部材の再使用が可能となる。
【００２０】
ただしこれらの発明では、装置本体と補助装置を分離する際に装置本体のカバーや装置本体内の部品等を外して嵌合している部材にアクセスする必要がある。そこで本発明においては、装置本体のスライド移動する部材の近傍のカバーや筺体に穴を設け、その穴からスライド移動して嵌合している部材を戻すことを可能とし、装置本体のカバーを付けたまま、嵌合している部材の解除、装置本体と補助装置の分離を容易にしている。
【００２１】
また本発明は、装置本体が電源で動作するものの時、上述した部材の戻し動作をソレノイドやモータなどのメカトロ部品にて行うようにして、動作を装置本体側の操作部やスイッチから操作できる構成とし、さらに容易に装置本体と補助装置を分離できるようにしている。
【実施例】
【００２２】
以下、本発明の実施例について説明する。
【００２３】
＜実施例１＞
図１に本発明の実施例１を示す。この実施例１において、装置本体１には補助装置をセットできる。装置本体１の下には補助装置２（ａ）、装置本体１の横には補助装置２（ｂ）、装置本体１の上には補助装置２（ｃ）といった取り付け形態が考えられる。補助装置２（以下では特に必要なければ符号にａ〜ｃを付さずに説明する）は、１つの場合も複数の場合もある。さらに、補助装置２（ｂ）の下にさらに同種の補助装置２（ｂ）というように並列に重ねてセットすることも可能である。
【００２４】
装置本体１には、図２に示す筐体３、カバー４及び図示しない装置本体１の機能を発揮するための部品からなる。筐体３には、図３（ｂ）のような開口５が設けられている。一方、補助装置２の装置本体１と向かい合う面には、図３（ａ）に示すように、１つ又は複数のピン６が設けられている。ピン６は尖頭状の部位のすぐ下側の直筒状部分の上部側部位に溝７が形成されている。
【００２５】
装置本体１に補助装置２をセットした際、開口５とピン６を嵌合する位置に設けることで、セット後は図３（ｃ）に示すように開口５の突片部５ａ（図示の例では略円形の開口５の内側へ突出するように突片部５ａ、５ａが形成してある）が変形してピン６の溝７に喰いつく形態となり、装置本体１と補助装置２は離れなくなる。筐体３とピン６を金属で構成すれば喰いつきが強固となり、装置本体１や補助装置２が重いものであっても適用できる。ピン６と開口５の形状は、喰いつきが成立すれば円形に限らず、四角や三角、その他の異形状でも良い。また、設計の都合によっては、装置本体１にピン６、補助装置２に開口５を設けても良い。
【００２６】
すなわちこの実施例では、装置本体１に補助装置２をセットした際、補助装置２のピン６が装置本体１の筺体３に嵌合して抜けなくなることにより、人が装置にぶつかったり地震や装置の移動の際に装置本体１と補助装置２が分離し、転落したり破損したりする恐れを回避できる。
【００２７】
＜実施例２＞
図４に本発明の実施例２を示す。この実施例２において、図４（ａ）に示される形状に折り曲げた部材８がネジ等の締結部品で筐体３に固定されており、この部材８に設けた開口９には、１ヶ所又は複数の爪部１０（先の実施例の突片部５ａより円周方向の幅が狭い）が設けられている。
【００２８】
そして図４（ｂ）、（ｃ）に示されるように、補助装置２のピン１１の尖頭状部分には爪部１０に喰いつく部分１１ａと、半径が小さくて喰いつかない部分１１ｂが構成されている。溝７は先の実施例と同様に設けられている。
【００２９】
この実施例でも、装置本体１と補助装置２をセットした際は、実施例１と同様に、開口９の爪部１０が変形してピン１１の溝７に喰いつく形態となり、装置本体１と補助装置２は離れなくなる。ここで、部材８の締結部品を外し、部材８をピン１１を中心に回転させることで爪１０がピン１１の半径が小さい部分１１ｂにくるので部材８を外し得る。すなわち、装置本体１と補助装置２を分離することが可能となっている。
【００３０】
＜実施例３＞
本発明の実施例３を図５に示す。この実施例３においては、図示のように、部材１２が、装置本体１の筐体３に対してスライドするように構成されている。スライドする手段としては、部材１２に設けた長穴１３を段付きネジで押さえる方法や、レールを使った方法などが考えられるが、適宜の公知の手段を用いればよい。
【００３１】
部材１２には、幅の異なる連結穴１４が設けられ、さらにスプリング１５によって図中矢印Ｂ方向に付勢されている。補助装置２には、先の実施例と同様に溝１６を形成したピン１７が設けられている。溝１６の径をＰ２、ピン１７の径をＰ１、連結穴１４の小さい方の幅寸法をＱ２、大きい方の幅寸法をＱ１とするとき、Ｑ１＞Ｐ１＞Ｑ２＞Ｐ２の関係が成り立つように構成する。さらに、装置本体１と補助装置２が嵌合する際、ピン１７の先端が連結穴１４のポイントＳとなるように構成する。
【００３２】
そのためピン１７が連結穴１４に入る際、ピン１７の先端斜面に案内されて部材１２は図中の矢印Ａ方向に移動する。ピン１７が完全に連結穴１４に入る、すなわち、溝１６の位置に部材１２がくると、スプリング１５の付勢力により部材１２は図中の矢印Ｂ方向にスライド移動し、ピン１７の溝１６に嵌合するものである。装置本体１と補助装置２を分離する際は、部材１２を図中の矢印Ａ方向に押してやれば良い。
【００３３】
すなわち、装置本体１の筺体３に設けられた別体の部材１２がスライド移動することによって補助装置２のピン１１に嵌合して抜けなくなる構成とするもので、嵌合する部分の部材に変形がないため、装置本体１と補助装置２を分離した後でも確実に部材１２の再使用が可能となる。
【００３４】
＜実施例４＞
本発明の実施例４を図６に示す。図６における部材１８は、先の実施例で示した部材１２とほぼ同様の構造を有するが、さらにレバー１９を備えている。レバー１９の他端は、カバー４に設けられた穴２０を貫通している。すなわち、装置本体１における部材１８は、カバー４を外さずに動かすことができる。そのため、装置本体１のカバー４を付けたまま、嵌合している部材１８を解除し、装置本体１と補助装置２を容易に分離することができる。
【００３５】
＜実施例５＞
本発明の実施例４を図７に示す。この実施例は、先に説明した実施例４の駆動源に電動の手段を用いて実施するもので、先の実施例で示した部材１２とほぼ同様の構造を有する部材２１は、レバー２２が回転自由な支点２３で支持されている。レバー２２は、装置本体１の筐体３に固定した支点２４を中心に回転する。レバー２２の点２３と反対側の端部２５には、筐体３に固定されたソレノイド２６が具備されている。ソレノイド２６は、図示しないスイッチや装置本体１の操作部からの信号でＯＮとなる。ソレノイド２６がＯＮすると、レバー２２は図中矢印Ｃ方向に回転し、部材２１は矢印Ａ方向に移動し、装置本体１と補助装置２が分離可能となる。すなわち装置本体１が電源で動作し、部材２１の戻し動作をソレノイドやモータなどのメカトロ部品にて実施するので、容易に装置本体１と補助装置２を分離することができる。
【産業上の利用可能性】
【００３６】
本発明を、プリンタやＰＰＣのような画像形成装置に採用する場合、補助装置としては、画像形成装置の下に設置される給紙バンクやテーブル、画像形成装置の横に設置される給紙バンクやソータ、ステープラのような紙の後処理系装置、画像形成装置の上に設置される原稿送り装置や圧板のような原稿処理装置などの周辺機器が考えられる。なお、画像形成装置によっては、ユーザーが周辺機器を含めて設置を実施する場合がある。各種の補助装置である周辺機器を装置本体である画像形成装置に設置したと同時に嵌合し離れなくなると、前述した転倒や画像形成装置の破損を防止できる。
【００３７】
なお本発明をプリンタやファクシミリ、ＰＰＣといった画像形成装置の用いる場合、上述した実施例の装置本体１が画像形成装置、補助装置２（ａ）は給紙バンクやテーブル、補助装置２（ｂ）はソータやステープラ、補助装置２（ｃ）はＡＤＦや圧板といった周辺機器となる。
【００３８】
また補助装置２に上述した装置本体１の開口や部材を設ければ、複数の補助装置２を重ねて連結することも可能となる。したがって、補助装置である周辺機器を仮にユーザーがセットしたとしても、固定のし忘れが無く安全である。
【符号の説明】
【００３９】
１：装置本体
２（２（ａ）、２（ｂ）、２（ｃ））：補助装置
３：筐体
４：カバー
５：開口
５ａ：開口の突片部
６：ピン
７：溝
８：部材
９：開口
１０：爪部
１１：ピン
１１ａ：ピンの大径の部分
１１ｂ：同小径の部分
１２：部材
１３：長穴
１４：連結穴
１５：スプリング
１６：溝
１７：ピン
１８：部材
１９：レバー
２０：穴
２１：部材
２２：レバー
２３、２４：支点
２５：端部
２６：ソレノイド
【先行技術文献】
【特許文献】
【００４０】
【特許文献１】特開2002-278159号公報
【特許文献２】特開2004-8261号公報
【特許文献３】特開2003-209647号公報
【特許文献４】特開平11-15225号公報
【特許文献５】特開2002-244529号公報
【図１】
2011180314.tif 000003
【図２】
2011180314.tif 000004
【図３】
2011180314.tif 000005
【図４】
2011180314.tif 000006
【図５】
2011180314.tif 000007
【図６】
2011180314.tif 000008
【図７】
2011180314.tif 000009